(57)【要約】      （修正有）【課題】背丈が高くなる野菜の栽培を可能にしながら、用土の使用量を少なくして軽量化できることから、狭小場所での作業が容易となり、従来に比べて用土代や廃土処理の負担を軽減することができるプランターを提供する。【解決手段】プランター１は、底および周囲壁（正面板３、側面板、背面板１１）とで内部に空間７を有して上方に開口部を有すると共にその周囲壁の一部（正面板）には開口部につながり底方向へ延びる切欠部を有する本体１４と、切欠部を塞ぐことができる本体に着脱自在の前板６ａ，６ｂと、本体の内部に収納されて空間の容積を変化させることができる本体に着脱自在のブロック体８ａ，８ｂ，８ｃと、からなる。【選択図】図３
2020028267.tif 000002
【特許請求の範囲】
【請求項１】
有底および周囲壁とで内部に空間を有して上方に開口部を有すると共に前記周囲壁の一部には前記開口部につながり前記底方向へ延びる切欠部を有する本体と、前記切欠部を塞ぐことができる前記本体に着脱自在の前板と、前記本体の内部に収納されて前記空間の容積を変化させることができる前記本体に着脱自在のブロック体と、からなることを特徴とするプランター。
【請求項２】
前記前板は、前記本体の前記切欠部を前記底方向である下方から段階的に塞ぐことができるように複数個からなることを特徴とする請求項１に記載のプランター。
【請求項３】
前記ブロック体は、前記本体の前記空間の容積を前記底方向である下方から段階的に減少させることができるように複数個からなることを特徴とする請求項１又は請求項２に記載のプランター。
【請求項４】
前記本体と、前記前板と、前記ブロック体とは、それぞれ発泡樹脂と硬質合成樹脂との積層体構造からなることを特徴とする請求項１から請求項３のいずれかに記載のプランター。
【発明の詳細な説明】
【技術分野】
【０００１】
本発明は、マンションのベランダ等の狭小場所においても、ネギ類等の背丈が高くなる野菜の栽培を容易にすることを目的とするプランターに関する。
【背景技術】
【０００２】
従来、長ネギや白ネギ等のネギ類は、成長に応じて背丈が高くなるため、プランターでの栽培は難しいものとされており、しかも、成長に合わせて収穫までに４回程度の所謂土寄作業が必要であるが、マンションのベランダ等の狭小場所では、作業が困難であると共に水や汚泥の流出等の考慮も必要であった。
【０００３】
このような問題に着目したものとして、圃場で農作業をする場合と違って制約を受ける狭小場所での栽培を意図するプランターが知られている（下記先行技術文献参照）。
【先行技術文献】
【特許文献】
【０００４】
【特許文献１】実用新案登録第３０４１８３７号公報
【特許文献２】特開２０１１−３６１４８号公報
【０００５】
特許文献１は、外気温によるプランター内の土壌温度上昇を防ぐために断熱材（発泡材）をプランター本体の内壁面に設けている。
【０００６】
特許文献２は、草花が植えられるプランターを好みの場所に、プランターを収容するプランターガードとの間に形成される空間に土や発泡スチロールなどの断熱材をつめて草花が枯れることの無いように工夫している。
【発明の概要】
【発明が解決しようとする課題】
【０００７】
しかしながら、前記先行技術文献で開示されているプランターを用いて、マンションのベランダ等の狭小場所において、ネギ類等の背丈が高くなる野菜の栽培を行う場合、以下の問題を有する。
【０００８】
すなわち、背丈が高くなる野菜である青ネギの栽培においては、葉鞘部を白く保った状態で背丈を長く育て３０センチ程度にする必要があることから、プランターには少なくとも４０〜５０センチ以上の深さが必要になり、このようなサイズのプランターにあっては、ネギ苗の植え付け時にはプランターの内部の底まで手を入れることが大変であり、しかも、用土として１５リットル以上が必要となることからプランターの全重量が１０キロ以上と重くなるため、狭小場所で野菜を育てることを楽しむ所謂家庭菜園としては、取り扱いに制約を受けて重労働を伴う作業となる。
【課題を解決するための手段】
【０００９】
前記課題を解決するため、本発明に係るプランターは、有底および周囲壁とで内部に空間を有して上方に開口部を有すると共に前記周囲壁の一部には前記開口部につながり前記底方向へ延びる切欠部を有する本体と、前記切欠部を塞ぐことができる前記本体に着脱自在の前板と、前記本体の内部に収納されて前記空間の容積を変化させることができる前記本体に着脱自在のブロック体と、からなるものである。
【００１０】
また、前記前板は、前記本体の前記切欠部を前記底方向である下方から段階的に塞ぐことができるように複数個からなるものである。
【００１１】
また、前記前板は、前記本体の前記切欠部を前記底方向である下方から段階的に塞ぐことができるように複数個からなるものである。
【００１２】
また、前記本体と、前記前板と、前記ブロック体とは、それぞれ発泡樹脂と硬質合成樹脂との積層体構造からなるものである
【発明の効果】
【００１３】
本発明のプランターは、背丈が高くなる野菜の栽培を可能にしながら、用土の使用量を少なくしてプランターの全重量を従来に比べて大幅に軽量化することができることから、狭小場所での作業が容易となり、従来に比べて用土代や廃土処理の負担を軽減することができる。
【図面の簡単な説明】
【００１４】
【図１】本発明の実施の形態の構成を示す斜視図
【図２】同上実施の形態を構成する本体の斜視図
【図３】同上実施の形態の内部を説明する要部断面図
【図４】同上実施の形態を構成する前板の一部を切欠いた斜視図
【図５】同上実施の形態を構成するブロック体の斜視図
【図６】同上実施の形態の使用状態を説明する斜視図
【図７】同上実施の形態の使用状態を説明する要部断面図
【図８】同上実施の形態の使用状態を説明する要部断面図
【図９】同上実施の形態の使用状態を説明する要部断面図
【発明を実施するための形態】
【００１５】
以下、本発明の実施の形態を図１〜図９に基づいて説明すると、各図において、本発明に係るプランター１は、本体１４と、前板６ａ，６ｂと、ブロック体８ａ，８ｂ，８ｃと、からなる。
【００１６】
本体１４は、底１３を有すると共に周囲壁を構成する正面板３と側面板５と背面板１１とにより、その内部に水平断面が略矩形（四角形）の空間７を構成し、この空間７の上方に開口部２を有しており、一側面たる正面板３には開口部２につながり底１３方向へ延びる切欠部４を有する。
【００１７】
前板６ａ，６ｂは、本体１４に着脱自在に構成され、本体１４の切欠部４を底１３方向から開口部２へ向けて段階的に、または、一度に塞ぐことができる。
【００１８】
ブロック体８ａ，８ｂ，８ｃは、本体１４に着脱自在に構成され、本体１４の内部において底１３方向から開口部２へ向けて段階的に、または、一度に配置されて空間７の容積を調整（減少）することができる。
【００１９】
このように本体１４は、底１３に立設した対向する正面板３、背面板１１、対向する一対の側面板５とからなり上方へ開口する箱体であり、前記周囲壁の一部を構成する正面板３には、開口部２につながり底１３方向へ延びる切欠部４を有しており、その近傍の内側には前板６ａ，６ｂの高さを調整するための発泡部材からなる位置決め部材１５ａ，１５ｂを着脱自在に装着しうる。
【００２０】
なお、位置決め部材１５ａ，１５ｂは、本体１４と一体に形成することもでき、この場合には位置決め部材１５ａ，１５ｂが不要となる。
【００２１】
斯かるプランター１は、本体１４、前板６ａ，６ｂを、それぞれ発泡樹脂と硬質合成樹脂との積層体構造、すなわち、硬質合成樹脂製の外周面部９と発泡樹脂製の内周面部１０とすることにより、栽培物Ａの根に対する断熱や保温性を高めて成長上も有益となり、プランター１の軽量化にも貢献する。
【００２２】
なお、本体１４の底１３には複数個の水抜孔１２を設け、底１３の外部には短脚部１６を設けている。
【００２３】
次に、栽培時におけるプランター１の使用方法について説明すると、本体１４の前板６ａ，６ｂと背面板１１の間には、着脱自在に装着できるブロック体８ａ，８ｂ，８ｃと、長ネギ（白ネギ）等の栽培物Ａを植え込み、同時に用土Ｂを入れるための空間７が構成されており、この空間７は、本体１４の背面板１１より正面板３の方向に向かって略Ｌ字状の空間であって、その下端部に用土Ｂを敷き詰めて開口部４より栽培物Ａたるネギ苗を並べるように置くことで植設作業がやり易い。
【００２４】
前記ネギ苗を植え付け後は、本体１４の上方の開口部２を上に向けて起こした状態にて管理することにより、植え付けた当該ネギ苗は、風が吹いたときでも側面板５と背面板１１とに支えられて倒れることが防げる。
【００２５】
栽培物Ａを植え付け後、前板６ａ，６ｂとブロック体８ａ，８ｂ，８ｃとを空間７内において、底１３に近い下方から栽培物Ａの成長に合わせて適宜個別に組み入れながら、栽培物Ａに用土Ｂを土寄せする。
【００２６】
なお、プランター１の大きさ（寸法）は、プランター１の製造メーカによって各社で差を有するが、本発明者によるテストの結果により導き出した好適な寸法は、栽培物Ａの植込用と用土Ｂの収納用との空間７が必要なために、空間７の内側寸法として、奥行Ｄが好ましくは５０〜１５０ミリ程度、深さＨが好ましくは３５０〜６００ミリ程度、幅Ｗが好ましくは６００〜７００ミリ程度である。
【００２７】
前記各寸法において、本体１４の外面部９の硬質合成樹脂の好ましい厚さは４〜１０ミリ程度、内面部１０の発泡樹脂の好ましい厚さは１０〜３５ミリ程度、ブロック体８ａ，８ｂ，８ｃの好ましい厚さは３０〜７０ミリ程度、位置決め部材１５ａ，１５ｂと前板６ａ，６ｂの厚さはそれぞれ２０〜６０ミリ程度が好ましく、図３に示すように、前板６ａ，６ｂと位置決め部材１５ａ，１５ｂを足した高さは、本体１４の高さに合わせるようにすれば良く、ブロック体８ａ，８ｂ，８ｃの高さの合計は、栽培物Ａの植込用と用土Ｂの収納用の空間７の高さを考慮して空間７の容積を適宜調整（減少）するものとする。
【００２８】
また、本体１４の底１３から立設する正面板３は、開口部４を有しており、本体１４の背面板１１を下に置き、栽培物Ａを寝かせて並べるように置く植え込み用、及び、用土Ｂの収納用の空間７は、正面板３の方向に向かっている略Ｌ字型の空間７であって、その下端部に用土Ｂを敷き詰めて開口部４より栽培物Ａたるネギ苗を並べるように置くことで植設作業がやり易く、植え付け後は本体１４を９０度回転させて起こした状態にて管理することができる。
【００２９】
また、栽培物Ａの姿勢を直立状に保持するための土寄せ等の作業は、栽培物Ａの成長を見ながら、少なくとも前板６ａ，６ｂとブロック体８ａ，８ｂ，８ｃとを適宜使用すれば良く、栽培物Ａがネギ類の場合には、葉の分岐部分（葉鞘部）に成長点があり、その点を用土Ｂで埋めてしまうと成長が遅くなってしまうので、葉鞘部を白く長く育てるためにも、少なくとも前板６ａ，６ｂとブロック体８ａ，８ｂ，８ｃとを適宜使用すれば用土Ｂの使用量を少なくすることができてプランター１全体としての軽量化が実現でき、栽培物Ａに対して断熱性や保温性が良く、従来に比べて軽量なプランター１となる。
【００３０】
なお、ベランダでの家庭菜園ならば収穫は何時でもできるため、必要な分だけ収穫できるので、栽培物Ａがネギ類の場合には、用土Ｂの使用料を調整することにより、葉鞘部から根へ至る軟白部が４０センチ以上に栽培することもできる。
【００３１】
本発明は、前述説明から明らかなように、用土の使用量を少なくして軽量化することにより取扱上の用土代や廃土処理の負担を軽減するとともに、植え付けや植え替えの手間も少なく、しかも、根に対する断熱や保温性を高めて植物の成長上も有効な発泡樹脂と硬質合成樹脂で形成されているプランターとして極めて有用なものである。
【００３２】
なお、この発明は前記実施の形態に限定されるものではなく、発明の趣旨を逸脱することのない範囲で各種の変更が実施することもでき、例えば、前記実施の形態では、平面視長方形状であったが、この形状に限られるものではなく、例えば、平面正方形状、あるいは、平面多角形状等に形成しても良い。
【００３３】
また、前記実施の形態において示した寸法は、プランターの容積に応じて、適宜に設定可能であることは言うまでもない。
【００３４】
また、本発明のプランターに使用する材料は、断熱性を有する発泡樹脂であれば良く、例えば、塩化ビニール系樹脂、スチロール系樹脂、ポリオレフイン系樹脂等の樹脂、あるいは、金属やプラスチックや木材、または、それらの組み合わせにより形成しても良い。
【００３５】
また、本発明のプランターは、ネギ類の栽培物に限ったものではなく、容器の深いプランターである特徴を生かして、容器内の発泡樹脂を取り出して、アスパラガス、ニラ、もやし等の栽培も可能であり、また、プランターの開口部で日光を遮断することで、光合成させない栽培物である黄ニラ、ウド、アスパラガス等の野菜を栽培物として栽培することができる。
【符号の説明】
【００３６】
１  プランター
２  開口部
３  正面板（周囲壁）
４  切欠部
５  側面板（周囲壁）
６ａ，６ｂ  前板
７  空間
８ａ，８ｂ，８ｃ  ブロック体
９  外周面部
１０  内周面部
１１  背面板（周囲壁）
１２  水抜孔
１３  底
１４  本体
１５ａ，１５ｂ  位置決め部材
１６  短脚部
Ａ  栽培物
Ｂ  用土
【図１】
2020028267.tif 000003
【図２】
2020028267.tif 000004
【図３】
2020028267.tif 000005
【図４】
2020028267.tif 000006
【図５】
2020028267.tif 000007
【図６】
2020028267.tif 000008
【図７】
2020028267.tif 000009
【図８】
2020028267.tif 000010
【図９】
2020028267.tif 000011
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
有底および周囲壁とで内部に空間を有して上方に開口部を有すると共に前記周囲壁の一部には前記開口部につながり前記底方向へ延びる切欠部を有する本体と、前記切欠部を底方向である下方から段階的に塞ぐことができる前記本体に着脱自在の前板と、前記本体の内部に収納されて前記空間の容積を底方向である下方から段階的に減少させることができる前記本体に着脱自在のブロック体と、からなることを特徴とするプランター。
【手続補正２】
【補正対象書類名】明細書
【補正対象項目名】全文
【補正方法】変更
【補正の内容】
【発明の詳細な説明】
【技術分野】
【０００１】
本発明は、マンションのベランダ等の狭小場所においても、ネギ類等の背丈が高くなる野菜の栽培を容易にすることを目的とするプランターに関する。
【背景技術】
【０００２】
従来、長ネギや白ネギ等のネギ類は、成長に応じて背丈が高くなるため、プランターでの栽培は難しいものとされており、しかも、成長に合わせて収穫までに４回程度の所謂土寄作業が必要であるが、マンションのベランダ等の狭小場所では、作業が困難であると共に水や汚泥の流出等の考慮も必要であった。
【０００３】
このような問題に着目したものとして、圃場で農作業をする場合と違って制約を受け狭小場所での栽培を意図するプランターが知られている（下記先行技術文献参照）。
【先行技術文献】
【特許文献】
【０００４】
【特許文献１】実用新案登録第３０４１８３７号公報
【特許文献２】特開２０１１−３６１４８号公報
【０００５】
特許文献１は、外気温によるプランター内の土壌温度上昇を防ぐために断熱材（発泡材）をプランター本体の内壁面に設けている。
【０００６】
特許文献２は、草花が植えられるプランターを好みの場所に、プランターを収容するプランターガードとの間に形成される空間に土や発泡スチロールなどの断熱材をつめて草花が枯れることの無いように工夫している。
【発明の概要】
【発明が解決しようとする課題】
【０００７】
しかしながら、前記先行技術文献で開示されているプランターを用いて、マンションのベランダ等の狭小場所において、ネギ類等の背丈が高くなる野菜の栽培を行う場合、以下の問題を有する。
【０００８】
すなわち、背丈が高くなる野菜である長ネギの栽培においては葉鞘部を白く保った状態で背丈を長く育て３０センチ程度にする必要があることから、プランターには少なくとも４０〜５０センチ以上の深さが必要になり、このようなサイズのプランターにあっては、ネギ苗の植え付け時にはプランターの内部のまで手を入れることが大変であり、しかも、用土として１５リットル以上が必要となることからプランターの全重量が１０キロ以上と重くなるため、狭小場所で野菜を育てることを楽しむ所謂家庭菜園としては、取り扱いに制約を受けて重労働を伴う作業となる。
【課題を解決するための手段】
【０００９】
前記課題を解決するため、本発明に係るプランターは、有底および周囲壁とで内部に空間を有して上方に開口部を有すると共に前記周囲壁の一部には前記開口部につながり前記底方向へ延びる切欠部を有する本体と、前記切欠部を塞ぐことができる前記本体に着脱自在の前板と、前記本体の内部に収納されて前記空間の容積を変化させることができる前記本体に着脱自在のブロック体と、からなるものである。
【００１０】
また、前記前板は、前記本体の前記切欠部を前記底方向である下方から段階的に塞ぐことができるように複数個からなるものである。
【００１１】
また、前記本体と、前記前板とは、それぞれ発泡樹脂と硬質合成樹脂との積層体構造からなるものである。
【発明の効果】
【００１２】
本発明のプランターは、背丈が高くなる野菜の栽培を可能にしながら、用土の使用量を少なくしてプランターの全重量を従来に比べて大幅に軽量化することができることから、狭小場所での作業が容易となり、従来に比べて用土代や廃土処理の負担を軽減することができる。
【図面の簡単な説明】
【００１３】
【図１】本発明の実施の形態の構成を示す斜視図
【図２】同上実施の形態を構成する本体の斜視図
【図３】同上実施の形態の内部を説明する要部断面図
【図４】同上実施の形態を構成する前板の一部を切欠いた斜視図
【図５】同上実施の形態を構成するブロック体の斜視図
【図６】同上実施の形態の使用状態を説明する斜視図
【図７】同上実施の形態の使用状態を説明する要部断面図
【図８】同上実施の形態の使用状態を説明する要部断面図
【図９】同上実施の形態の使用状態を説明する要部断面図
【発明を実施するための形態】
【００１４】
以下、本発明の実施の形態を図１〜図９に基づいて説明すると、各図において、本発明に係るプランター１は、本体１４と、前板６ａ，６ｂと、ブロック体８ａ，８ｂ，８ｃと、からなる。
【００１５】
本体１４は、底１３を有すると共に周囲壁を構成する正面板３と側面板５と背面板１１とにより、その内部に水平断面が略矩形（四角形）の空間７を構成し、この空間７の上方に開口部２を有しており、一側面たる正面板３には開口部２につながり底１３方向へ延びる切欠部４を有する。
【００１６】
前板６ａ，６ｂは、本体１４に着脱自在に構成され、本体１４の切欠部４を底１３方向から開口部２へ向けて段階的に、または、一度に塞ぐことができる。  
【００１７】
ブロック体８ａ，８ｂ，８ｃは、本体１４に着脱自在に構成され、本体１４の内部において底１３方向から開口部２へ向けて段階的に、または、一度に配置されて空間７の容積を調整（減少）することができる。
【００１８】
このように本体１４は、底１３に立設した対向する正面板３、背面板１１、対向する一対の側面板５とからなり上方へ開口する箱体であり、前記周囲壁の一部を構成する正面板３には、開口部２につながり底１３方向へ延びる切欠部４を有しており、その近傍の内側には前板６ａ，６ｂの高さを調整するための発泡部材からなる位置決め部材１５ａ，１５ｂを着脱自在に装着しうる。  
【００１９】
なお、位置決め部材１５ａ，１５ｂは、本体１４と一体に形成することもでき、この場合には位置決め部材１５ａ，１５ｂが不要となる。
【００２０】
斯かるプランター１は、本体１４、前板６ａ，６ｂを、それぞれ発泡樹脂と硬質合成樹脂との積層体構造、すなわち、硬質合成樹脂製の外周面部９と発泡樹脂製の内周面部１０とすることにより、栽培物Ａの根に対する断熱や保温性を高めて成長上も有益となり、プランター１の軽量化にも貢献する。
【００２１】
なお、本体１４の底１３には複数個の水抜孔１２を設け、底１３の外部には短脚部１６を設けている。
【００２２】
次に、栽培時におけるプランター１の使用方法について説明すると、本体１４の前板６ａ，６ｂと背面板１１の間には、着脱自在に装着できるブロック体８ａ，８ｂ，８ｃと、長ネギ（白ネギ）等の栽培物Ａを植え込み、同時に用土Ｂを入れるための空間７が構成されており、この空間７は、本体１４の背面板１１より正面板３の方向に向かって略Ｌ字状の空間であって、その下端部に用土Ｂを敷き詰めて開口部４より栽培物Ａたるネギ苗を並べるように置くことで植設作業がやり易い。
【００２３】
前記ネギ苗を植え付け後は、本体１４の上方の開口部２を上に向けて起こした状態にて管理することにより、植え付けた当該ネギ苗は、風が吹いたときでも側面板５と背面板１１とに支えられて倒れることが防げる。
【００２４】
栽培物Ａを植え付け後、前板６ａ，６ｂとブロック体８ａ，８ｂ，８ｃとを空間７内において、底１３に近い下方から栽培物Ａの成長に合わせて適宜個別に組み入れながら、栽培物Ａに用土Ｂを土寄せする。
【００２５】
なお、プランター１の大きさ（寸法）は、プランター１の製造メーカによって各社で差を有するが、本発明者によるテストの結果により導き出した好適な寸法は、栽培物Ａの植込用と用土Ｂの収納用との空間７が必要なために、空間７の内側寸法として、奥行Ｄが好ましくは５０〜１５０ミリ程度、深さＨが好ましくは３５０〜６００ミリ程度、幅Ｗが好ましくは６００〜７００ミリ程度である。
【００２６】
前記各寸法において、本体１４の外面部９の硬質合成樹脂の好ましい厚さは４〜１０ミリ程度、内面部１０の発泡樹脂の好ましい厚さは１０〜３５ミリ程度、ブロック体８ａ，８ｂ，８ｃの好ましい厚さは３０〜７０ミリ程度、位置決め部材１５ａ，１５ｂと前板６ａ，６ｂの厚さはそれぞれ２０〜６０ミリ程度が好ましく、図３に示すように、前板６ａ，６ｂと位置決め部材１５ａ，１５ｂを足した高さは、本体１４の高さに合わせるようにすれば良く、ブロック体８ａ，８ｂ，８ｃの高さの合計は、栽培物Ａの植込用と用土Ｂの収納用の空間７の高さを考慮して空間７の容積を適宜調整（減少）するものとする。
【００２７】
また、本体１４の底１３から立設する正面板３は、開口部４を有しており、本体１４の背面板１１を下に置き、栽培物Ａを寝かせて並べるように置く植えみ用、及び、用土Ｂの収納用の空間７は、正面板３の方向に向かっている略Ｌ字型の空間７であって、その下端部に用土Ｂを敷き詰めて開口部４より栽培物Ａたるネギ苗を並べるように置くことで植設作業がやり易く、植え付け後は本１４を９０度回転させて起こした状態にて管理することができる。
【００２８】
また、栽培物Ａの姿勢を直立状に保持するための土寄せ等の作業は、栽培物Ａの成長を見ながら、少なくとも前板６ａ，６ｂとブロック体８ａ，８ｂ，８ｃとを適宜使用すれば良く、栽培物Ａがネギ類の場合には、葉の分岐部分（葉鞘部）に成長点があり、その点を用土Ｂで埋めてしまうと成長が遅くなってしまうので、葉鞘部を白く長く育てるためにも、少なくとも前板６ａ，６ｂとブロック体８ａ，８ｂ，８ｃとを適宜使用すれば用土Ｂの使用量を少なくすることができてプランター１全体としての軽量化が実現でき、栽培物Ａに対して断熱性や保温性が良く、従来に比べて軽量なプランター１となる。
【００２９】
なお、ベランダでの家庭菜園ならば収穫は何時でもできるため、必要な分だけ収穫できるので、栽培物Ａがネギ類の場合には、用土Ｂの使用量を調整することにより、葉鞘部から根へ至る軟白部が４０センチ以上に栽培することもできる。
【００３０】
本発明は、前述説明から明らかなように、用土の使用量を少なくして軽量化することにより取扱上の用土代や廃土処理の負担を軽減するとともに、植え付けや植え替えの手間も少なく、しかも、根に対する断熱や保温性を高めて植物の成長上も有効な発泡樹脂と硬質合成樹脂で形成されているプランターとして極めて有用なものである
【００３１】
なお、この発明は前記実施の形態に限定されるものではなく、発明の趣旨を逸脱することのない範囲で各種の変更が実施することもでき、例えば、前記実施の形態では、平面視長方形状であったが、この形状に限られるものではなく、例えば、平面正方形状、あるいは、平面多角形状等に形成しても良い。  
【００３２】
また、前記実施の形態において示した寸法は、プランターの容積に応じて、適宜に設定可能であることは言うまでもない。
【００３３】
また、本発明のプランターに使用する材料は、断熱性を有する発泡樹脂であれば良く、例えば、塩化ビニール系樹脂、スチロール系樹脂、ポリオレフイン系樹脂等の樹脂、あるいは、金属やプラスチックや木材、または、それらの組み合わせにより形成しても良い。
【００３４】
また、本発明のプランターは、ネギ類の栽培物に限ったものではなく、容器の深いプランターである特徴を生かして、容器内の発泡樹脂を取り出して、アスパラガス、ニラ、もやし等の栽培も可能であり、また、プランターの開口部で日光を遮断することで、光合成させない栽培物である黄ニラ、ウド、アスパラガス等の野菜を栽培物として栽培することができる。
【符号の説明】
【００３５】
１  プランター
２  開口部
３  正面板（周囲壁）
４  切欠部
５  側面板（周囲壁）
６ａ，６ｂ  前板
７  空間
８ａ，８ｂ，８ｃ  ブロック体
９  外周面部
１０  内周面部
１１  背面板（周囲壁）
１２  水抜孔
１３  底
１４  本体
１５ａ，１５ｂ  位置決め部材
１６  短脚部
Ａ  栽培物
Ｂ  用土